(57)【要約】      （修正有）【課題】既存のリュックサック等に対して簡単に装着でき、首部に加えて腹部等も効果的に且つ安定的に保護する信頼性の高い人体保護具を提供する。【解決手段】人体の首の周辺を保護する人体保護具１であって、人体保護具１は、首部の周辺を保護するためにエアにより膨張可能なＵ字状気室とその気室を覆うＵ字状の首部カバー体２を備え、該首部カバー体２の両端は人体の胸部から腹部及び脇腹部に向けて延設された二つの胴衣部カバー体３が設けられると共に、首部カバー体２の両端部から胴衣部カバー体３への延長部付近の人体側には背負い型バッグの肩紐へ固定させる固定具４を設ける。【選択図】図１
0003206528.tif 000002
【実用新案登録請求の範囲】
【請求項１】
人体の首の周辺を保護する人体保護具であって、前記人体保護具は、首部の周辺を保護するためにエアにより膨張可能なＵ字状気室とその気室を覆うＵ字状の首部カバー体を備え、該首部カバー体の両端は人体の胸部から腹部及び脇腹部に向けて延設された二つの胴衣部カバー体が設けられると共に、前記首部カバー体の両端部から胴衣部カバー体への延長部付近の人体側には背負い型バッグの肩紐へ固定させる固定具を設けたことを特徴とする人体保護具。
【請求項２】
前記Ｕ字状の首部カバー体の湾曲部付近の人体側には背負い型バッグのリング状の持手へ固定させる固定具を設けたことを特徴とする請求項１記載の人体保護具。
【請求項３】
前記胴衣部カバー体の先端部の人体側にはウエストベルトへ固定させる固定具を設けたことを特徴とする請求項１記載の人体保護具。
【請求項４】
前記固定具が背負い型バッグの肩紐、持手、ウエストベルトを包んで固定させる面ファスナであることを特徴とする請求項１乃至請求項３記載の人体保護具。
【請求項５】
前記二つの胴衣部カバー体の内部にプロテクタを収容したことを特徴とする請求項１乃至請求項４に記載の人体保護具。
【請求項６】
前記首部カバー体の内部にプロテクタを収容したことを特徴とする請求項１乃至請求項４に記載の人体保護具。
【請求項７】
前記二つの胴衣部カバー体の裏面に胸部プロテクタを面ファスナにより固定することを特徴とする請求項１乃至請求項４に記載の人体保護具。
【考案の詳細な説明】
【技術分野】
【０００１】  本考案は、人体保護具に関する。詳しくは、主にスキー、スケート、スノーボード、自転車、オートバイ等の転倒や打撃の可能性がある各種のスポーツ等で使用したり、日常生活においても有益な人体保護具に関する。
【背景技術】
【０００２】  従来より、各種のスポーツ競技を行う人は転倒した時に備えて防具であるプロテクタを身につけることが知られている。これらのプロテクタの多くは、プロテクタ単体を上着の下で身体に直接、装着するか、または、衣類に埋め込んで縫製した衝撃を吸収する柔軟性のある発泡体や、綿等のような緩衝材から構成されている。【０００３】  また、人体の局所を保護するような保護具も知られている。例えば、実用新案登録文献１の特開２００２−２９４５０６号には、略Ｕ字状の首部の保護具が示されている。（実用新案登録文献１参照）。
【特許文献１】特開２００２−２９４５０６号公報
【考案の開示】
【考案が解決しようとする課題】
【０００４】  ところが、前述の保護具の構造は、単に首に嵌めて装着する程度であり、安定して保護することは困難である。特に、オートバイ等の転倒時による頚椎の損傷は、人体に長期間にわたり大きな影響を与えることから、首部を効果的に且つ安定的に保護する信頼性の高い保護具が望まれている。【０００５】  本考案は、特に首部分を効果的に保護すると同時に顎部の保護をも可能とし、日常的に使用されているリュクサックやバックパック等の背負い型バッグと組み合わせて使用する、装着性に優れた保護具を提供することを目的とする。
【課題を解決するための手段】
【０００６】  上記の目的を達成するために、人体の首の周辺を保護する人体保護具において、前記人体保護具は、首部の周辺を保護するＵ字状気室とその気室を覆うＵ字状の首部カバー体を備え、該首部カバー体の両端は人体の胸部から腹部及び脇腹部に向けて延設された二つの胴衣部カバー体が設けられると共に、前記首部カバー体の両端部から胴衣部カバー体への延長部付近の人体側には背負い型バッグの肩紐へ固定させる固定具を設ける。【０００７】  また、本考案の人体保護具は、上記の構成において、前記Ｕ字状の首部カバー体の湾曲部付近の人体側には背負い型バッグのリング状の持手へ固定させる固定具を設ける。【０００８】この構造により、既存のリュクサックやバックパック等の背負い型バッグの肩紐を利用して、極めて簡単な操作で保護具を装着することが可能である。また、前記固定具は、背負い型バッグの肩紐及び持手を包んで固定させる面ファスナであり、これにより、確りと固定されることで、背負い型バッグと一体的に人体保護具を構成する。【０００９】  また、必要に応じてウエストベルトと固定することにより、より人体に対して安定的に固定させることもできる。【００１０】  本考案の人体保護具は、前記二つの胴衣部カバー体の内部、前記首部の内部にプロテクタを収容し、一方、前記二つの胴衣部カバー体の裏面に胸部プロテクタを面ファスナにより固定することで、衝撃に対する保護効果が増大する。
【考案の効果】
【００１１】  本考案の人体保護具は、前述の如く構成したことにより、人体に極めて簡単に装着できると共に、固定具により背負い型バッグと確りと固定されることから安定的に首部周辺が保護される。特に、プロテクタを収容したものに至っては、首部は勿論のこと、胴回りの要所の全体に亘って保護することが可能である。
【図面の簡単な説明】
【００１２】
【図１】本考案に係わる人体保護具の裏面図である。
【図２】本考案に係わる人体保護具の正面図である。
【図３】本考案に係わる人体保護具の装着状態の説明図である。
【図４】本考案に係わる人体保護具の装着状態の一部を破断した説明図である。
【図５】本考案に係わる人体保護具の装着状態の一部を破断した説明図である。
【図６】本考案に係わる胸部プロテクタの説明図である。
【考案を実施するための最良の形態】
【００１３】  以下、本考案を図面に示した実施例に基づき更に詳細に説明する。
【実施例】
【００１４】  以下、図面を参照して、本考案の人体保護具の機能・使用方法について詳説する。【００１５】  図面の如く、本考案の人体保護具の外観形状は、首部の周辺を保護するに適した略Ｕ字状の気室（図示せず）とその気室を覆う柔軟性と伸縮性を有する首部カバー体２から構成されている。本考案の説明では、簡易的にこの首部カバー体２と気室を同様に扱っている。気室は、インフレータやポンプにより膨張するエアバッグであり、単に円筒のチューブを略Ｕ字状としたものではなく、図示の如く、非膨張時には人体の肩の部分に載せられる程度の扁平な形状となっている。【００１６】人体保護具１の首部カバー体２の両端部は人体の胸部から腹部及び脇腹部に向けて延設された二つの胴衣部カバー体３が設けられると共に、前記首部カバー体２の両端部から胴衣部カバー体３への延長部付近の人体側には背負い型バッグ１０の肩紐１０Ａへ固定させる固定具４を設けている。【００１７】  インフレータやポンプを使用する場合の吸排気口は、前記首部カバー体２の一方の端部に垂下させて一体的に固定する。【００１８】前記首部カバー体２の両端は人体の胸部から腹部及び脇腹部に向けて延設された二つの胴衣部カバー体３が設けられると共に、前記首部カバー体２の両端部から胴衣部カバー体３への延長部付近の人体側には背負い型バッグ１０の肩紐１０Ａへ固定させる固定具４を設けている。【００１９】  この固定具４は、背負い型バッグ１０の肩紐１０Ａを包んで固定させる面ファスナであり、本考案の人体保護具１は、通常時は、気室内部には空気が充填されていないため、柔軟な布と同様に扱えるため、これを使用するに際しては、首部カバー体２の開いた部分から軽く首を挿入し、胴衣部カバー体３の固定具４にて背負い型バッグ１０の肩紐１０Ａへ確りと固定する。【００２０】仮に首部カバー体２を保形できる程度に比較的、硬質の材料で形成した場合であれば、略Ｕ字状の首部カバー体２の中央の開口部を押し広げて首を通して装着すれば良く、極めて簡単な動作で装着固定が可能である。【００２１】また、前記Ｕ字状の首部カバー体２の湾曲部付近の人体側には背負い型バッグ１０のリング状の持手１０Ｂへ固定させるために、面ファスナから成る固定具４を設けており、これも固定すると共に、ベルトをしている場合には、前記胴衣部カバー体３の先端部の人体側に設けた固定具４によりウエストベルトへ固定させる。【００２２】また、二つの胴衣部カバー体３どうしは、バックル等で構成された固定具４ａにより、互いに連結する。そして、本考案の実施例では、ポンプにより気室を膨張させる構造としているため、装着後は、気室を膨張させて使用する。尚、インフレータ等の起動装置を紐状部材の牽引により起動して炭酸ガスを充填させる構造としても良い。【００２３】  上記の構成により、転倒等をした場合には、首部カバー体２の内部の気室中の膨張空気により緩衝される。この際、背負い型バッグ１０と一体的に強固に固定されているため、首部分の周囲を十分に覆い安全である。【００２４】  図４乃至図６に示された構造は、本考案の人体保護具の更に効果的な例を示している。図において、前記二つの胴衣部カバー体３の内部には、プロテクタ５が収容されており、また、前記首部カバー体２の内部の気室の外側にもプロテクタ５が収容されている。【００２５】更に、必要に応じて、前記二つの胴衣部カバー体３の裏面に胸部プロテクタ５を面ファスナにより固定することで、極めて人体保護は効果的になる。
【産業上の利用可能性】
【００２６】  本考案は、人体保護を必要とする状況として、主にスキー、スケート、スノーボード、自転車、オートバイ等の活動時を考慮した際に、必ずと言って良いほど使用されている背負い型のバッグに着目し、これと一体的に使用することで、強固な人体保護具を実現させるものであり、極めて有益な人体保護具である。
【符号の説明】
【００２７】１    人体保護具
２    首部カバー体
３    胴衣部カバー体
４    固定具
５    プロテクタ
１０    背負い型バッグ
１０Ａ  肩紐
１０Ｂ  持ち手
【図１】
0003206528.tif 000003
【図２】
0003206528.tif 000004
【図３】
0003206528.tif 000005
【図４】
0003206528.tif 000006
【図５】
0003206528.tif 000007
【図６】
0003206528.tif 000008